(57)【要約】    【課題】  車両の燃料噴射装置への燃料フィード機構において、別途の電動ポンプを用いることなく、通常の車両走行時等においても燃料ポンプを適宜停止させることができ、省電力を図る。    【解決手段】  車両の加減速に応じて生じる慣性力により燃料タンク２０内の燃料Ｆを送出するように、燃料タンク２０の内部に、車両前後方向に移動可能の補助燃料タンク１０を設けるとともに、この燃料タンク２０から送出された燃料Ｆを充填・蓄圧するリザーバタンク５３と、補助燃料タンク１０内に設けられた燃料ポンプ３０から圧送される燃料Ｆの圧送経路とリザーバタンク５３から圧送される燃料Ｆの圧送経路とを切り替える切替弁５８とを設け、リザーバタンク５３からの圧送経路に切り替えたときは、燃料ポンプ３０を停止させる。【選択図】            図１
2005171833.tif 000002
【特許請求の範囲】
【請求項１】
内部の燃料を燃料噴射装置に圧送する燃料ポンプが設けられた燃料タンクと、車両の挙動に応じて生じる慣性力により前記燃料タンク内の燃料を前記燃料噴射装置に圧送する燃料補助圧送手段と、前記燃料ポンプによる圧送と前記燃料補助圧送手段による圧送とを切り替える切替手段とを備えたことを特徴とする燃料噴射装置への燃料フィード機構。
【請求項２】
前記燃料補助圧送手段は、前記燃料が所定圧力で内部に充填されるとともに、充填された前記燃料を前記燃料噴射装置に圧送する蓄圧手段と、車両の挙動に応じて生じる慣性力により前記燃料タンク内の燃料を前記蓄圧手段に送出する送出手段とを備え、前記蓄圧手段の内部に充填された燃料自体の圧力によって、該燃料を圧送することを特徴とする請求項１に記載の燃料噴射装置への燃料フィード機構。
【請求項３】
前記送出手段は、前記燃料タンクの内部で前記慣性力により移動可能に配設され、この移動により前記燃料タンクの内部の燃料を前記送出手段の移動方向に押圧して前記蓄圧手段に送出することを特徴とする請求項１または２に記載の燃料噴射装置への燃料フィード機構。
【請求項４】
前記送出手段は、前記燃料タンクの燃料貯留空間を前記車両の前後方向に二分するように前記燃料タンクの内部に配設され、前記車両の前後方向に沿って移動可能とされた補助燃料タンクと、一端部が前記二分して得られた二つの燃料貯留空間にそれぞれ連通し、他端部が前記蓄圧手段に連通する配管とを備え、前記燃料ポンプは補助燃料タンクの内部に設けられたことを特徴とする請求項３に記載の燃料噴射装置への燃料フィード機構。
【請求項５】
前記燃料を前記補助燃料タンクに供給する燃料供給配管と、前記補助燃料タンク内の前記燃料ポンプに接続されて前記燃料を送出する燃料送出配管とが、前記補助燃料タンクを前記車両の前後方向に貫通して配設されたことを特徴とする請求項４に記載の燃料噴射装置への燃料フィード機構。
【発明の詳細な説明】
【技術分野】
【０００１】
本発明は、エンジンの燃料噴射装置への燃料フィード機構に関する。
【背景技術】
【０００２】
従来より、内燃機関（エンジン）を原動機とする車両において、エンジンの燃料噴射装置（インジェクタ等）に燃料を供給する燃料フィード機構は、燃料タンク内に設けられた電動式の燃料ポンプと、燃料配管に設けられた圧力調整手段（圧力調整弁やリターン配管等）とを備えており、燃料タンク内に貯留された燃料を燃料ポンプによって吸い上げて燃料配管に圧送し、燃料は、燃料配管の圧力調整手段を通ってエンジンに供給されている。
【０００３】
ここで、燃料ポンプは、エンジンの稼働中は常時作動しており、常に燃料の吸上げと圧送を行ない、圧力調整手段が、エンジンへの燃料供給の制御を行っている。すなわち、例えば車両の減速時等スロットルが戻された燃料カット状態や、エンジンのアイドル中においても燃料ポンプは作動している。
【０００４】
ところで、燃料ポンプによる燃料の供給能力は通常１００Ｌ／ｈ程度であるのに対して、アイドル中における必要供給量は２Ｌ／ｈ程度に過ぎず、燃料ポンプが供給した燃料の大部分は、圧力調整手段により燃料タンクに戻されている。したがって、アイドル時等の必要供給量が極少量であるときや燃料カット状態でのエンジン稼働時は、燃料ポンプの作動電力の多くが無駄に消費されている。
【０００５】
そこで、エンジンを停止させない範囲で、燃料ポンプの作動を断続的に停止させ、消費電力を抑制することが提案されている（特許文献１）。
【０００６】
一方、エンジンに供給すべき燃料を適当な圧力で一時的に貯める蓄圧手段（リザーバタンク）を別途設ける技術が提案されている（特許文献２）。この技術は、リザーバタンクで圧力調整された燃料をエンジンに供給することで、燃料噴射量の精度向上を図るものであるが、燃料がリザーバタンクに適当な圧力で充填・蓄圧されている期間中は、燃料ポンプを停止することができ、省電力に資することができる。
【特許文献１】特開平６−７４１２０号公報
【特許文献２】特開平５−９９０５２号公報
【発明の開示】
【発明が解決しようとする課題】
【０００７】
しかし、特許文献１による技術は、例えば車両の減速中における燃料カット時や一定の僅かな燃料供給を持続するアイドル時等においては有効であるものの、より多くの燃料供給量を必要とする通常走行時には適用することができない。
【０００８】
また、特許文献２による技術は、リザーバタンクへの燃料の圧送を、既設の燃料ポンプとは別に設けられた専用の高圧ポンプにより行うため、この高圧ポンプの駆動によって電力を消費することとなり、既設燃料ポンプの適宜の停止によって得られる省電力効果が相殺され、燃料フィード機構全体としては必ずしも省電力効果を奏するとは限らない。
【０００９】
本発明は上記事情に鑑みなされたものであり、別途の電動ポンプを用いることなく、通常の車両走行時等においても燃料ポンプを適宜停止させることができ、省電力効果を発揮する燃料フィード機構を提供することを目的とするものである。
【課題を解決するための手段】
【００１０】
本発明に係る燃料噴射装置への燃料フィード機構は、内部の燃料を燃料噴射装置に圧送する燃料ポンプが設けられた燃料タンクと、車両の挙動に応じて生じる慣性力により前記燃料タンク内の燃料を燃料噴射装置に圧送する燃料補助圧送手段と、前記燃料ポンプによる圧送と前記燃料補助圧送手段による圧送とを切り替える切替手段とを備えたことを特徴とする。
【発明の効果】
【００１１】
本発明に係る燃料噴射装置への燃料フィード機構によれば、燃料噴射装置への燃料の圧送経路は、燃料タンク内の燃料ポンプによる圧送経路と、燃料補助圧送手段による圧送経路との２つ形成され、この２つの圧送経路が切替手段によって択一的に切り替えられる。
【００１２】
ここで、切替手段によって、燃料補助圧送手段側の圧送経路に切り替えられているときは、燃料ポンプ側の圧送経路は遮断されるため、燃料ポンプを作動させる必要がなく、この作動を停止させることによっても、燃料噴射装置へは燃料補助圧送手段によって燃料が供給されるためエンジンの稼働に支障はなく、したがって、燃料噴射装置の使用中すなわち通常の車両走行時等においても、燃料ポンプを適宜停止させて省電力を図ることができる。
【００１３】
しかも、燃料補助圧送手段は、車両の挙動に応じて生じた慣性力、すなわち例えば車両の加減速や旋回時の遠心力等を含む慣性力を利用して燃料圧送のエネルギを得ているため、電力を消費する別途の電動ポンプ等を新たに用いる必要がなく、したがって、上述した省電力効果が相殺されることがない。
【発明を実施するための最良の形態】
【００１４】
以下、本発明の燃料噴射装置への燃料フィード機構に係る最良の実施形態について、図面を用いて説明する。
【００１５】
本実施形態に係る燃料噴射装置（以下、単にエンジンという場合がある。）への燃料フィード機構は車両に設置され、図１に示すように、燃料Ｆが貯留される燃料タンク２０と、この燃料タンク２０の燃料貯留空間を車両の前後方向（図示において車両前方をＦｒ、車両後方をＲｒとする。）に二分するように燃料タンク２０の内部に設けられ、車両の加減速によって生じる慣性力により車両の前後方向に沿って移動可能とされた補助燃料タンク１０とを備えている。
【００１６】
補助燃料タンク１０の外周面には、外周面の全周に亘って、燃料タンク２０の内周面と当接しつつ、燃料タンク２０に対して補助燃料タンク１０を車両前後方向に摺動可能とするシール部材１２が２列設けられている。
【００１７】
一方、燃料タンク２０の車両前後端壁の内面には、補助燃料タンク１０の車両前後端壁外面が固体的に衝突するのを防止する衝撃吸収ストッパ２３が配設されている。
【００１８】
なお、補助燃料タンク１０およびこの補助燃料タンク１０の内部に貯留された燃料Ｆは、本発明における送出手段を構成している。
【００１９】
また、燃料タンク２０の内部であって補助燃料タンク１０の内部には、燃料Ｆを圧送する燃料ポンプ３０が配設されているとともに、補助燃料タンク１０の内部に燃料Ｆを供給すべく、補助燃料タンク１０の内部において一部が開口した燃料供給配管４１と、補助燃料タンク１０に貯留された燃料Ｆが燃料ポンプ３０によって圧送される通路を形成すべく、補助燃料タンク１０の内部において一部が開口し、この開口が図示しない可撓性のチューブによって燃料ポンプ３０に接続された燃料送出配管４２とが、それぞれ燃料タンク２０および補助燃料タンク１０を車両前後方向に貫通して設けられている。
【００２０】
これら燃料供給配管４１および燃料送出配管４２は、燃料タンク２０の前後端壁に対してそれぞれ固定的に接合されているが、補助燃料タンク１０の前後壁に対しては、補助燃料タンク１０に設けられたシール部材１３を介して摺動可能であり、補助燃料タンク１０の車両前後方向への移動を可能にしている。
【００２１】
なお、燃料供給配管４１の一方の端部は、車両の給油口に接続され、他方の端部は、後述する圧力調整弁５９からの燃料の戻り配管（図示せず）に接続されている。
【００２２】
一方、燃料送出配管４２の一方の端部は、燃料貯留空間２１，２２に連通する燃料供給配管５１に接続され、他方の端部は、後述する切替弁５８に接続された図示しない燃料圧送配管に接続されている。
【００２３】
さらに、この燃料フィード機構には、燃料Ｆが内部に所定圧力で充填・蓄圧されるとともに充填された燃料Ｆを圧送するリザーバタンク５３、電磁ストップ弁５６および燃料高圧配管５５が設けられている。
【００２４】
リザーバタンク５３は、ハウジング５３ａと、このハウジング５３ａの内部の燃料蓄圧室５３ｄの容積を変化させるピストン５３ｃと、この燃料蓄圧室５３ｄの容積を減少させる方向にピストン５３ｃを所定の圧力で付勢するスプリング５３ｂとを有している。
【００２５】
また、燃料タンク２０の車両前方Ｆｒの端壁の下部には、補助燃料タンク１０によって二分された燃料貯留空間のうち車両前方Ｆｒの燃料貯留空間２１に逆止弁５３を介して連通する燃料高圧配管５２が接続されており、この燃料高圧配管５２の他端は、リザーバタンク５３の燃料蓄圧室５３ｄに連通している。
【００２６】
同様に、燃料タンク２０の車両後方Ｒｒの端壁の下部には、補助燃料タンク１０によって二分された燃料貯留空間のうち車両後方Ｒｒの燃料貯留空間２２に逆止弁５３を介して連通する燃料高圧配管５２が接続されており、この燃料高圧配管５２の他端も、リザーバタンク５３の燃料蓄圧室５３ｄに連通している。
【００２７】
一方、燃料タンク２０の周壁の上部前側および上部後側には、燃料送出配管４２の一方の端部開口に連通する燃料供給配管５１が、逆止弁５３，５３を介してそれぞれ接続されており、燃料ポンプ３０が圧送する燃料Ｆの一部を、車両前方Ｆｒの燃料貯留空間２１および車両後方Ｒｒの燃料貯留空間２２にそれぞれ供給可能となっている。
【００２８】
また、電磁ストップ弁５６とリザーバタンク５３とを接続する燃料高圧配管５５のリザーバタンク５３側も、燃料蓄圧室５３に連通している。
【００２９】
以上の逆止弁５３，５３、燃料高圧配管５２，５２，５５、リザーバタンク５３および電磁ストップ弁５６は、本発明における蓄圧手段を構成している。
【００３０】
電磁ストップ弁５６の出力側に接続された燃料圧送配管５７と、燃料供給配管４２の端部が接続された図示しない燃料圧送配管とは、切替弁５８の各入力ポートに各別に接続され、切替弁５８の出力ポートは、図示しない燃料配管を介して、圧力調整弁５９の入力ポートに接続されている。
【００３１】
ここで、切替弁５８は、二つの入力ポートのうちいずれか一方を択一的に出力ポートに連通させ、他方を出力ポートに対して遮断するように、入力ポートの切替えを行うものであり、この入力ポートの切替えは、後述するコントロールユニット８０（図２参照）によって制御される。
【００３２】
圧力調整弁５９の出力ポートは、図示しない配管を介してエンジンに接続され、戻りポートは前述した図示しない戻り配管を介して燃料供給配管４１に接続されている。
【００３３】
また、リザーバタンク５３のハウジング５３ａには、ピストン５３ｃのストロークを検出するストロークセンサ５４が固設されており、このストロークセンサ４０は、検出したストロークに応じた出力信号をコントロールユニット８０に入力する。
【００３４】
コントロールユニット８０には、このストロークセンサ４０の出力信号の他、図２に示すように、車体速度を表す車体速度信号、エンジンの負荷を表すエンジン負荷信号（エンジンの吸入空気量を表すエアフローメータ出力信号、エンジン回転数信号等）、および空調装置（エアコン）やオルタネータ等の各種電気機器・電子機器など補機類の負荷を表す補機負荷信号などが入力される。
【００３５】
そして、コントロールユニット８０は、これらの入力に基づいて、エンジンの負荷条件と、リザーバタンク５３の圧送準備状態とを検出し、この検出結果に基づいて、燃料ポンプ３０、電磁ストップ弁５６および切替弁５８の作動を制御する。
【００３６】
なお、上述した送出手段と蓄圧手段とは、本発明における燃料補助圧送手段を構成している。
【００３７】
次に、本実施形態に係る燃料噴射装置への燃料フィード機構の作用について、図１、コントロールユニット８０への信号入出力を表す図２、およびコントロールユニット８０による燃料圧送経路の切替え作用のフローチャートを表す図３を参照して説明する。
【００３８】
なお、本実施形態においては、初期的に、切替弁５８は燃料ポンプ３０に接続された入力ポートが出力ポートに連通し、電磁ストップ弁５６に接続された入力ポートは出力ポートに対して遮断されるように切り替えられており、電磁ストップ弁５６は閉じているものとして説明するが、本発明においては、この形態に限るものではなく、切替弁５８は初期的に電磁ストップ弁５６に接続された入力ポートが出力ポートに連通し、燃料ポンプ３０に接続された入力ポートが出力ポートに対して遮断されるように切り替えられており、電磁ストップ弁５６は開いているものとしてもよい。
【００３９】
上述した初期状態から処理が開始され、まず、燃料ポンプ３０が作動し（＃１）、補助燃料タンク１０の燃料貯留空間１１に貯留されている燃料Fが、燃料送出配管４２を通って、切替弁５８、圧力調整弁５９を順次通過し、図示しないエンジンへ圧送される。
【００４０】
ここで、圧力調整弁５９は、切替弁５８から圧送された燃料Fの圧力を調整し、エンジン５９への供給分以外の残余分を戻り配管に戻し、この戻された残余燃料Ｆは、燃料供給配管４１に送出され、補助燃料タンク１０の燃料貯留空間１１における燃料供給配管４１の開口から、燃料貯留空間１１に戻される。
【００４１】
一方、燃料ポンプ３０の作動によって燃料送出配管４２を通った燃料Ｆの一部は、燃料タンク２０の各燃料貯留空間２１，２２に連通する燃料供給配管５１に供給され、燃料供給配管５１から各逆止弁５３，５３を通って、各燃料貯留空間２１，２２に供給される。
【００４２】
次に、コントロールユニット８０が、エンジンの負荷状態が低負荷条件か否かを、このコントロールユニット８０に入力された車体速度信号、エンジン負荷信号および補機負荷信号に基づいて判定する（＃２）。
【００４３】
ここで、エンジンの負荷状態が低負荷条件である場合としては、例えば、車速が所定速度以下であり、エンジン回転数が所定回転数以下であるエンジンアイドル時に近い状態であって、補機負荷が小さい場合である。これらの判定基準はコントロールユニットに予め記憶されており、この記憶された基準値と入力された各信号との比較により、低負荷条件か否かの判定が行われる。
【００４４】
ここで、低負荷条件ではないと判定したときは、この判定処理（＃２）を繰り返す。一方、低負荷条件であると判定したときは、次にリザーバタンク５３の準備状態、すなわち燃料蓄圧室５３ｄに燃料Ｆが所定圧力で充填・蓄圧されているか否かを判定する（＃３）。具体的には、蓄圧室５３ｄへの燃料Ｆの充填量に応じて、スプリング５３ｂの付勢力に抗してピストン５３ｃの変位量が変化するが、このピストン５３ｃの変位量をストロークセンサ５４が検出し、コントロールユニット８０に検出結果のストロークセンサ信号が入力されるが、コントロールユニット８０はこのセンサ信号に基づいて準備状態を判定する。
【００４５】
ここで、蓄圧室５３ｄへの燃料Ｆの充填・蓄圧は、以下の作用によって行われる。すなわち、車両が加速する挙動を呈すると、補助燃料タンク１０には、その内部に貯留された燃料Ｆとともに、車両後方Ｒｒに向いた慣性力が生じ、この慣性力によって、補助燃料タンク１０は燃料供給配管４１および燃料送出配管４２の周面に沿いながら、燃料タンク２０の内部を車両後方Ｒｒに移動する。
【００４６】
このとき、燃料タンク２０の車両後方Ｒｒ側の燃料貯留空間２２の容積は小さくなるが、燃料貯留空間２２内部に貯留する燃料Ｆは圧力を受け、燃料Ｆの圧力が燃料貯留空間２２に連通する逆止弁５３を開放させて、燃料Ｆは燃料高圧配管５２内に流れ込み、リザーバタンク５３の蓄圧室５３ｄに充填される。なお、実際には、この蓄圧室５３ｄに連通する燃料高圧配管５５にも充填され、閉じられている電磁ストップ弁５６までの経路に充填される。
【００４７】
一方、車両が減速する挙動を呈すると、補助燃料タンク１０には、その内部に貯留された燃料Ｆとともに、車両前方Ｆｒに向いた慣性力が生じ、この慣性力によって、補助燃料タンク１０は燃料供給配管４１および燃料送出配管４２の周面に沿いながら、燃料タンク２０の内部を車両前方Ｆｒに移動する。
【００４８】
このとき、燃料タンク２０の車両前方Ｆｒ側の燃料貯留空間２１の容積は小さくなるが、燃料貯留空間２１内部に貯留する燃料Ｆは圧力を受け、燃料Ｆの圧力が燃料貯留空間２１に連通する逆止弁５３を開放させて、燃料Ｆは燃料高圧配管５２内に流れ込み、リザーバタンク５３の蓄圧室５３ｄに充填される。なお、電磁ストップ弁５６までの経路に充填される点は、車両の加速の場合と同様である。
【００４９】
このように、車両の加速や減速という挙動によって、燃料タンク２０に連通する逆止弁５３、燃料高圧配管５２、蓄圧室５３ｄ、燃料高圧配管５５および電磁ストップ弁５６までの経路の内圧が徐々に高圧化し、この高圧化に応じてピストン５３ｃの変位量が大きくなり、ストロークセンサ５４の検出信号が変化する。
【００５０】
コントロールユニット８０は、ストロークセンサ５４からの入力信号（ストロークセンサ信号）が表すピストン５３ｃの変位量と、予め設定され記憶された所定の基準値とを比較し、変位量が基準値を超えたときはリザーバタンク５３の準備が完了していると判定し、変位量が基準値より小さいときはリザーバタンク５３の準備が完了していないと判定する。
【００５１】
なお、予め設定され記憶されている基準値は、リザーバタンク５３の蓄圧室５３ｄに充填・蓄圧された燃料Ｆが、圧力調整弁５９を通過してエンジン（の燃料噴射装置）に圧送されるのに適した圧力となるように設定されている。
【００５２】
コントロールユニット８０が、リザーバタンク５３の準備が完了していると判定したときは、燃料ポンプ３０が停止しているか否かを判定し（＃４）、停止していないときは、切替弁５８の出力ポートに連通する入力ポートを、燃料ポンプ３０側の入力ポートからリザーバタンク５３側の入力ポートに切り替える（＃５）ように、コントロールユニット８０が切替弁５８のポート切替えを制御する。
【００５３】
さらに、コントロールユニット８０は、電磁ストップ弁５６を閉状態から開状態に開閉制御して（＃６）、蓄圧室５３ｄから切替弁５８までの燃料経路を連通させる。さらにまた、コントロールユニット８０は、燃料ポンプ３０の作動を停止させるように、燃料ポンプ３０を制御する（＃７）。
【００５４】
以上の動作により、エンジンには、リザーバタンク５３の蓄圧室５３ｄに所定の圧力で充填・蓄圧された燃料Ｆが圧送され、リザーバタンク５３の準備状態が否定の判定をなされる（＃３）まで、エンジンの稼働にはリザーバタンク５３の燃料Ｆが使用されるとともに、燃料ポンプ３０の作動は停止状態を維持する。
【００５５】
そして、燃料ポンプ３０の作動が停止している期間中は、燃料ポンプを作動するのに要する電力は消費されないため、電力の消費を低減することができる。
【００５６】
エンジンに供給されることによって、リザーバタンク５３の蓄圧室５３ｄに充填されている燃料Ｆの量が減少すると、蓄圧室５３ｄの燃料圧力も小さくなり、ピストン５３ｃがスプリング５３ｂの付勢力によって、蓄圧室５３ｄの容積を減少させる方向に変位し、ストロークが前述した基準値を下回ることにより、コントロールユニット８０は、リザーバタンク５３は準備状態ではないと判定し（＃３）、燃料ポンプ３０の作動状態を確認した（＃８）後、切替弁５８の出力ポートに連通する入力ポートを、リザーバタンク５３側の入力ポートから燃料ポンプ３０側の入力ポートに切り替えるように制御し（＃９）、電磁ストップ弁５６を開状態から閉状態に開閉制御して（＃１０）、蓄圧室５３ｄから切替弁５８までの燃料経路を遮断させる。
【００５７】
さらに、コントロールユニット８０は、燃料ポンプ３０を停止状態から作動させるように、燃料ポンプ３０を制御する（＃１１）。
【００５８】
以上の動作により、エンジンには、燃料ポンプ３０によって補助燃料タンク１０の燃料貯留空間１１から吸い上げられ、燃料送出配管４２で送出された燃料Ｆが圧送される。
【００５９】
一方、電磁ストップ弁５６が閉状態の期間中は、前述した車両の加減速という挙動により生じる慣性力によって、リザーバタンク５３に燃料Ｆが充填・蓄圧される。
【００６０】
以上、詳細に説明したように、本実施形態に係る燃料噴射装置への燃料フィード機構は、燃料タンク２０と、車両の加減速という挙動に応じて生じる慣性力により補助燃料タンク１０内の燃料Ｆをエンジンの燃料噴射装置に圧送するリザーバタンク５３を始めとする燃料補助圧送手段と、燃料ポンプ３０による圧送と燃料補助圧送手段による圧送とを切り替える切替弁５８（切替手段）とを備えているため、燃料噴射装置への燃料Ｆの圧送経路は、燃料ポンプ３０による圧送経路と、リザーバタンク５３等の燃料補助圧送手段による圧送経路との２つの経路として形成され、この２つの圧送経路が切替弁５８によって択一的に切り替えられる。
【００６１】
そして、切替弁５８によって、燃料補助圧送手段側の圧送経路が選択されているときは、燃料ポンプ３０側の圧送経路は遮断されるため、燃料ポンプ３０を作動させる必要がなく、この燃料ポンプ３０の作動を停止させることによっても、燃料噴射装置へは燃料補助圧送手段によって燃料が供給されるためエンジンの稼働に支障はなく、したがって、燃料噴射装置の使用中すなわち通常の車両走行時等においても、燃料ポンプ３０を適宜停止させて省電力を図ることができる。
【００６２】
しかも、燃料補助圧送手段は、車両の挙動に応じて生じた慣性力、すなわち車両の加減速によって生じる慣性力を利用して燃料圧送のエネルギを得ているため、電力を消費する別途の電動ポンプ等を新たに用いる必要がなく、したがって、上述した省電力効果が相殺されることがない。
【００６３】
また、本実施形態に係る燃料噴射装置への燃料フィード機構は、燃料補助圧送手段が、内部に燃料Ｆが所定圧力で充填されるとともに、充填された燃料Ｆを燃料噴射装置に圧送するリザーバタンク５３（蓄圧手段）と、車両の加減速（挙動）に応じて生じる慣性力により燃料タンク２０内の燃料Ｆをリザーバタンク５３に送出する補助燃料タンク１０（送出手段）とを備え、リザーバタンク５３の内部に充填された燃料Ｆ自体の圧力によって、燃料Ｆを圧送する構成である。
【００６４】
したがって、リザーバタンク５３は、補助燃料タンク１０から送出された燃料Ｆを所定の圧力となるまで充填・蓄圧し、切替弁５８によって燃料補助圧送手段側の圧送経路に切り替えられ、リザーバタンク５３における燃料Ｆの圧力が解放されると、燃料Ｆ自体の圧力によって燃料噴射装置に燃料Ｆを圧送することができ、燃料噴射装置への圧送圧力を十分に確保することができるとともに、この圧送圧力を得るための電力を全く必要とせず、この点においても電力消費を抑制することができる。
【００６５】
また、本実施形態に係る燃料噴射装置への燃料フィード機構は、補助燃料タンク１０が、燃料タンク２０の内部で慣性力により車両前後方向に移動可能に配設され、この移動により燃料タンク２０の内部の燃料Ｆを移動方向に押圧してリザーバタンク５３に送出する構成であるため、補助燃料タンク１０が慣性力によって車両前後方向に移動し、この移動によって燃料タンク２０の内部の燃料Ｆを押圧するため、燃料Ｆを慣性力によってリザーバタンク５３に送出することができる。
【００６６】
また、本実施形態に係る燃料噴射装置への燃料フィード機構は、送出手段として、燃料タンク２０の燃料貯留空間を車両の前後方向に二分するように燃料タンク２０の内部に配設され、車両の前後方向に沿って移動可能とされた補助燃料タンク１０と、一端部が二分して得られた二つの燃料貯留空間２１，２２にそれぞれ連通し、他端部がリザーバタンク５３に連通する燃料高圧配管５２とを備え、燃料ポンプ３０は補助燃料タンク１０の内部に設けられた構成である。
【００６７】
このように、送出手段として補助燃料タンク１０を適用することにより、燃料タンク２０の燃料貯留容積を実質的に低減させることなく、慣性力の作用しやすい送出手段を得ることができる。
【００６８】
また、車両が加速することによって、補助燃料タンク１０が車両後方Ｒｒに移動し、車両後方Ｒｒ側の燃料貯留空間２２の燃料Ｆが補助燃料タンク１０によって押圧され、これにより、この燃料貯留空間２２の燃料Ｆをリザーバタンク５３に送出することができ、一方、車両が減速することによって、補助燃料タンク１０が車両前方Ｆｒに移動し、車両前方Ｆｒ側の燃料貯留空間２１の燃料Ｆが補助燃料タンク１０によって車両前方Ｆｒに押圧され、これにより、この燃料貯留空間２１の燃料Ｆをリザーバタンク５３に送出することができる。
【００６９】
そして、この燃料フィード機構によれば、車両の挙動として車両の加減速を適用しているため、慣性力の発生頻度を高めて慣性力によるエネルギの利用機会を増加させることができる。しかも、車両前方Ｆｒに向いた慣性力および車両後方Ｒｒに向いた慣性力のそれぞれを利用して燃料Ｆを送出することができるため、車両の加減速という挙動による慣性力のエネルギの利用効率を向上させることもできる。
【００７０】
また、燃料ポンプ３０を補助燃料タンク１０内に設けることにより、補助燃料タンク１０内の燃料Ｆは燃料ポンプ３０側の圧送経路を通り、外側の燃料タンク２０内の燃料Ｆは燃料補助圧送手段側の圧送経路を通るが、燃料ポンプ３０側の系と燃料補助圧送手段側の系とを、空間利用効率を低減させることなく分離することができ、車両への設置スペースを確保する点で有用性が高い。
【００７１】
また、本実施形態に係る燃料噴射装置への燃料フィード機構は、燃料Ｆを補助燃料タンク１０に供給する燃料供給配管４１と、補助燃料タンク１０内の燃料ポンプ３０に接続されて燃料Ｆを送出する燃料送出配管４２とが、補助燃料タンク１０を車両前後方向に貫通して配設された構成である。
【００７２】
そして、燃料供給配管４１および燃料送出配管４２が、補助燃料タンク１０の移動可能方向に一致して延びており、しかも、これら配管４１，４２は補助燃料タンク１０を貫通しているため、補助燃料タンク１０は、これら配管４１，４２に案内された状態で配管４１，４２に沿って燃料タンク２０内を移動することができ、補助燃料タンク１０が燃料タンク２０に対して傾くのを抑制して、円滑な移動を行わせることができる。
【００７３】
なお、本実施形態においては、燃料供給配管４１および燃料送出配管４２の双方がいずれも、補助燃料タンク１０を車両前方Ｆｒおよび車両後方Ｒｒの双方に貫通するものであるが、本発明の燃料フィード機構は、この形態に限るものではなく、例えば、燃料供給配管４１は燃料補助タンク１０を車両前方Ｆｒにのみ（または車両後方Ｒｒにのみ）貫通し、燃料送出配管４２は燃料補助タンク１０を車両後方Ｒｒにのみ（または車両前方Ｆｒにのみ）貫通するものであってもよい。
【００７４】
また、本実施形態においては、車両の加減速によって生じる慣性力を利用するものであるが、車両の挙動によって生じる慣性力には、例えば、車両が右旋回または左旋回することによって生じる遠心力も含まれる。したがって、補助燃料タンク１０の移動可能方向を車両の幅方向に一致させて、車両の旋回によって生じる慣性力（遠心力）によって補助燃料タンク１０を移動させて燃料Ｆをリザーバタンク５３に充填・蓄圧するように構成することもできる。
【００７５】
さらに、車両前後方向に移動可能の補助燃料タンク１０の内部に、車幅方向に移動可能の仕切板（送出手段）を設けて、車両の加減速によって生じる慣性力は補助燃料タンク１０の車両前後方向への移動によって利用し、車両の旋回によって生じる慣性力は仕切板の車幅方向への移動によって利用するようにしてもよい。
【００７６】
この場合、補助燃料タンク１０の燃料貯留空間１１は仕切板によって二つの空間に二分され、これら各空間とリザーバタンク５３とを連通させる配管と逆止弁とを、燃料高圧配管５２，５２および逆止弁５３，５３と同様に設ければよい。
【００７７】
なお、仕切板は燃料よりも比重の大きいものであることが好ましい。
【図面の簡単な説明】
【００７８】
【図１】本発明の一実施形態に係る燃料噴射装置への燃料フィード機構を示す模式図である。
【図２】図１に示した燃料フィード機構を作動させる信号の入出力を示すダイアグラムである。
【図３】図１に示した燃料フィード機構の作用を説明するフローチャートである。
【符号の説明】
【００７９】
１０    補助燃料タンク（送出手段）
１１，２１，２２  燃料貯留空間
１２，１３  シール部材
２０    燃料タンク
２３    衝撃吸収ストッパ
３０    燃料ポンプ
４１，５１  燃料供給配管
４２    燃料送出配管
５２，５５  燃料高圧配管
５３    リザーバタンク（蓄圧手段）
５３ａ  ハウジング
５３ｂ  スプリング
５３ｃ  ピストン
５３ｄ  燃料蓄圧室
５４    ストロークセンサ
５６    電磁ストップ弁
５７    燃料圧送配管
５８    切替弁（切替手段）
５９    圧力調整弁
８０    コントロールユニット
Ｆ      燃料
Ｆｒ    車両前方
Ｒｒ    車両後方
【図１】
2005171833.tif 000003
【図２】
2005171833.tif 000004
【図３】
2005171833.tif 000005